(57)【要約】【課題】  メール受信側は従来からのプロトコルであるＰＯＰを保ちつつ、メール受信端末がスリープ中でもメール受信できるシステムを構築することを目的とする。【解決手段】  メールの受信時にメール受信端末をスリープ復帰させるメールサーバであって、メールアドレスとスリープ復帰させるメール受信端末を関連付けたスリープ復帰管理テーブルと、メール受信時に前記スリープ復帰管理テーブルに従ってメール受信端末をスリープ復帰させる信号を生成するスリープ制御手段と、を含むメールサーバ。【選択図】        図２
2007087293.tif 000002
【特許請求の範囲】
【請求項１】
メールの受信時にメール受信端末をスリープ復帰させるメールサーバであって、
メールアドレスとスリープ復帰させるメール受信端末を関連付けたスリープ復帰管理テーブルと、メール受信時に前記スリープ復帰管理テーブルに従ってメール受信端末をスリープ復帰させる信号を生成するスリープ制御手段と、を含むことを特徴とするメールサーバ。
【請求項２】
メールの受信時にメールサーバがメール受信端末をスリープ復帰させ、スリープ中でもリアルタイムにメール受信可能なメール受信システムであって、
前記メールサーバは、メールアドレスとスリープ復帰させるメール受信端末を関連付けたスリープ復帰管理テーブルと、メール受信時に前記スリープ復帰管理テーブルに従ってメール受信端末をスリープ復帰させる信号を生成するスリープ制御手段と、を含み、前記メール受信端末は、メール受信確認不可能状態からメール受信確認可能状態に遷移した時にメール受信確認を行うメール受信確認手段と、を含むことを特徴とするメール受信システム。
【請求項３】
電子メールを用いてネットワークを介したＦＡＸ送信をするＦＡＸ転送システムであって、
ＦＡＸ送信したいドキュメントを電子メールで送信するドキュメント送信手段を含むクライアントと、メールアドレスとスリープ復帰させるメール受信端末を関連付けたスリープ復帰管理テーブルと、前記クライアントから受信した電子メールアドレスと前記スリープ復帰管理テーブルに従ってメール受信端末をスリープ復帰させる信号を生成するスリープ制御手段とを含むメールサーバと、メール受信確認不可能状態からメール受信確認可能状態に遷移した時にメール受信確認を行うメール受信確認手段を含むＦＡＸ送信装置と、を含むことを特徴とするＦＡＸ転送システム。
【請求項４】
請求項１記載のメールサーバにおいて、スリープ復帰管理テーブルはメールアドレスとＩＰアドレスが関連付けられていることを特徴とするメールサーバ。
【請求項５】
請求項４記載のメールサーバにおいて、スリープ制御手段は前記スリープ復帰管理テーブルで関連付けられたＩＰアドレスにスリープ復帰させるためのパケットを送信することを特徴とするメールサーバ。
【請求項６】
請求項２記載のメール受信システムにおいて、スリープ復帰管理テーブルはメールアドレスとＩＰアドレスが関連付けられていることを特徴とするメール受信システム。
【請求項７】
請求項６記載のメール受信システムにおいて、スリープ制御手段は前記スリープ復帰管理テーブルで関連付けられたＩＰアドレスにスリープ復帰させるためのパケットを送信することを特徴とするメール受信システム。
【請求項８】
請求項３記載のＦＡＸ転送システムにおいて、スリープ復帰管理テーブルはメールアドレスとＩＰアドレスが関連付けられていることを特徴とするＦＡＸ転送システム。
【請求項９】
請求項８記載のＦＡＸ転送システムにおいて、スリープ制御手段は前記スリープ復帰管理テーブルで関連付けられたＩＰアドレスにスリープ復帰させるためのパケットを送信することを特徴とするＦＡＸ転送システム。
【発明の詳細な説明】
【技術分野】
【０００１】
本発明は、スリープ制御機能を有するメールサーバ、メール受信システムおよびＦＡＸ転送システムに関する。
【背景技術】
【０００２】
従来技術として、パソコンで用いられるメール受信システムのプロトコルはＰＯＰ（Post  Office  Protocol）が一般的であり、このプロトコルにおけるメール受信は、クライアント側がサーバ側に対して受信要求をすることがトリガとなって処理される。また、携帯メールにおけるメール受信システムは独自プロトコルがあり、サーバ側がクライアント側に対し着信通知がされ、その着信通知がトリガとなりクライアント側はメール受信処理をする。さらに、ＰＯＰサーバを利用して受信した電子メールをＦＡＸ転送するというシステムがある。
【特許文献１】特開２００３−０６７３１５号公報
【発明の開示】
【発明が解決しようとする課題】
【０００３】
しかしながら、従来、ＰＯＰを用いたメール受信システムではＰＯＰサーバに届いたメールを定期的に確認する必要があるため、メール受信端末がスリープ状態である場合にメール受信することができなかった。
【０００４】
また、携帯におけるメール受信システムは独自プロトコルであり、一般的なプロトコルであるＰＯＰを利用してシステムを構築することができない。
【０００５】
さらに、ＦＡＸ転送システムではメールをリアルタイムにチェックする必要があるため定期的にスリープ復帰するという構造をとる必要があった。
【０００６】
以上のことから、本発明は、メール受信側は従来からのプロトコルであるＰＯＰを保ちつつ、メール受信端末がスリープ中でもメール受信できるシステムである処の、メールサーバ、メール受信システムおよびＦＡＸ転送システムを提供することを目的とする。
【課題を解決するための手段】
【０００７】
上記目的を達成するために、本発明では、メールサーバがメール受信時にメールアドレスに対応するＩＰアドレスに対してスリープ復帰させるための信号を送る（例えば、マジックパケット（アドバンスト  マイクロ  ディバイシズ  インコーポレイテッド社の登録商標）を使ってスリープ復帰させる）ことによって従来からのプロトコルであるＰＯＰを保ちつつ、メール受信端末がスリープ中でもメール受信できるシステムを構築することができる。また、このことによって、ＰＯＰサーバを用いたＦＡＸ転送システムであってもスリープし続け、ＦＡＸ転送すべき時のみスリープ復帰すれば良いシステムを構築することができる。
【０００８】
以上の構成について、改めて以下（１）〜（３）に整理して示す。
【０００９】
（１）メールの受信時にメール受信端末をスリープ復帰させるメールサーバであって、
メールアドレスとスリープ復帰させるメール受信端末を関連付けたスリープ復帰管理テーブルと、メール受信時に前記スリープ復帰管理テーブルに従ってメール受信端末をスリープ復帰させる信号を生成するスリープ制御手段と、を含むメールサーバ。
【００１０】
（２）メールの受信時にメールサーバがメール受信端末をスリープ復帰させ、スリープ中でもリアルタイムにメール受信可能なメール受信システムであって、
前記メールサーバは、メールアドレスとスリープ復帰させるメール受信端末を関連付けたスリープ復帰管理テーブルと、メール受信時に前記スリープ復帰管理テーブルに従ってメール受信端末をスリープ復帰させる信号を生成するスリープ制御手段と、を含み、前記メール受信端末は、メール受信確認不可能状態からメール受信確認可能状態に遷移した時にメール受信確認を行うメール受信確認手段と、を含むメール受信システム。
【００１１】
（３）電子メールを用いてネットワークを介したＦＡＸ送信をするＦＡＸ転送システムであって、
ＦＡＸ送信したいドキュメントを電子メールで送信するドキュメント送信手段を含むクライアントと、メールアドレスとスリープ復帰させるメール受信端末を関連付けたスリープ復帰管理テーブルと、前記クライアントから受信した電子メールアドレスと前記スリープ復帰管理テーブルに従ってメール受信端末をスリープ復帰させる信号を生成するスリープ制御手段とを含むメールサーバと、メール受信確認不可能状態からメール受信確認可能状態に遷移した時にメール受信確認を行うメール受信確認手段を含むＦＡＸ送信装置と、を含むＦＡＸ転送システム。
【発明の効果】
【００１２】
本発明では、メールサーバがメール受信時にメールアドレスに対応するＩＰアドレスに対してスリープ復帰させるための信号を送る（例えば、マジックパケットを使ってスリープ復帰させる）ことによって従来からのプロトコルであるＰＯＰを保ちつつ、メール受信端末がスリープ中でもメール受信できるシステムを構築することができる。また、このことによって、ＰＯＰサーバを用いたＦＡＸ転送システムであってもスリープし続け、ＦＡＸ転送すべき時のみスリープ復帰すれば良いシステムを構築することができる。
【発明を実施するための最良の形態】
【００１３】
以下添付図面を参照して、本発明に係る好適な実施例を詳細に説明する。
【実施例】
【００１４】
図２は、本実施例の形態によって構成したネットワークシステムである。
【００１５】
図中の２００はインターネット通信網である。２０１はウェブサーバであり、インターネット２００上に接続され、インターネットユーザに特定のサービスを提供する。２０２は金融機関と消費者クライアントの間の決済処理などを行う電子マネーサーバである。２０４は個人ユーザの端末とインターネット２００との接続処理を行うサービスプロバイダであり、電子メールの送信を管理するＳＭＴＰサーバ２１４と、電子メールの受信を管理するＰＯＰサーバ２１５を含んでいる。２０３はファイアーウォールであり、これにより下に図示したＬＡＮ２０１１内部と外部通信網（インターネット２００）とを接続し、セキュリティ管理などを行う。２１０はＬＡＮ２０１１で接続された２１１〜２１３、２２０の各機器管理サーバである。２１１はファイルサーバであり、ＬＡＮ２０１１で接続された複数のユーザがデータを共有することができる。２１２は端末装置として接続されたパソコンである。インターネット２００を介してウェブサーバ２０１から提供された情報を閲覧したり、画像データを画像形成装置２２０に出力することができる。２１３はＰＯＰサーバであり、受信したメールを保管し、ＰＯＰのプロトコルに従ってメールの受け渡しを行うことができ、これが請求項１〜３記載のメールサーバにあたる。また、本発明の特徴として、受信したメールに対応するＩＰアドレスに対してマジックパケットを送信することができる。２１４はＳＭＴＰサーバであり、ＳＭＴＰのプロトコルに従ってメールのやり取りを行うことができる。２１５はＰＯＰサーバであり、受信したメールを保管し、ＰＯＰのプロトコルに従ってメールの受け渡しを行うことができる。２１６はパソコンであり、サービスプロバイダ２０４に接続された個人ユーザの端末であり、電子メールを送ることもでき、これが請求項３記載のクライアントにあたる。２２０はデジタル複写機などの画像形成装置であり、主に画像の入出力機能、画像受信・送信を有し、これが請求項２記載のメール受信端末、および請求項３記載のＦＡＸ送信装置にあたる。この画像形成装置２２０において、１４０はユーザが各種の操作を行うための操作部、１０は操作部１４０やパソコン２１２からの指示に従って画像を読み取るためのイメージスキャナ、２０はパソコン２１２やファイルサーバ２１１からのデータを用紙に印刷するプリンタである。３０はコントローラユニットであり、操作部１４０やパソコン２１２からの指示に基づいてスキャナ１０、プリンタ２０に対する画像データの入出力の制御を行う。例えば、スキャナ１０が取り込んだ画像データをコントローラ３０内部のメモリに蓄積したり、パソコン２１２に出力したり、あるいはプリンタ２０で印刷するなどの制御を行う。また、Ｍｏｄｅｍ２０５０を介してスキャナ１０で取り込んだ画像をＦＡＸ送信したり、パソコン２１２，２１６から受信した電子メールの本文あるいは添付ファイルをＦＡＸ送信したりすることができる。２０５０はＭｏｄｅｍであり、ＦＡＸ通信するためにデジタルデータをアナログデータに変換するものである。
【００１６】
本発明のＦＡＸ送信装置を含む画像形成装置の外観を図３に示す。
【００１７】
画像入力デバイスであるスキャナ部１０は、原稿画像をランプにより照射し、ＣＣＤラインセンサ（図示せず）で読み取り、電気信号に変換することで画像データとして処理を行う。原稿用紙を原稿フィーダ１４２２にセットし、装置使用者が操作部１４０から読み取り起動指示することにより、フィーダ１４２２は原稿用紙を１枚ずつフィードし原稿画像の読み取り動作を行う。
【００１８】
画像出力デバイスであるプリンタ部２０は、画像データを用紙上の画像に変換する部分であり、本発明では、感光体ドラムや感光体ベルトを用いた電子写真方式により説明を行うが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット（給紙ユニット１２２，１２４，１４２，１４４）がある。また、画像形成された用紙は排紙トレイ１３２上に排出される。
【００１９】
図４は本発明のＦＡＸ送信装置を含む画像形成装置の構成を説明する断面図である。図面を用いて動作の詳細を説明する。
【００２０】
１０１は原稿台ガラスであり、原稿自動送り装置（フィーダ）１４２２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部３０に入力される。
【００２１】
また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部３０で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４２、１４４は給紙ユニットであり（１２０は手差し給紙ユニット）、各給紙ローラ１２１、１２３、１２５、１５３、１４５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。
【００２２】
１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２３】
３０のコントローラ部には後述するマイクロコンピュータ、画像処理部等を備えており、操作部１４０からの指示に従って、前述の画像形成動作を行う。
【００２４】
操作部１４０の構成を図５に示す。ＬＣＤ表示部１０３２は、ＬＣＤ上にタッチパネルシートが貼られており、システムの操作画面を表示するとともに、表示してあるキーが押されるとその位置情報をコントローラユニット３０に伝える。図６を用いて後述する。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。ソフトスイッチ１０３４は画像形成装置をスリープ状態にする時とスリープ状態から復帰する時に用いる。
【００２５】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンタキーであり、コンピュータ等の外部装置からのプリント出力に関する設定などを行うときに使用する。
【００２６】
図６は、操作パネル１４０のＬＣＤ表示部１０３２に表示される基本画面である。
【００２７】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザごとに行える。１００４は応用ズームキーであり、原稿のＸ方向、Ｙ方向を独立に変倍するモード、原稿のサイズと複写サイズから変倍率を計算するズームプログラムのモードに入る。１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。１０１０はソーターキーであり、ソート出力、グループ出力等のモード設定を行う。１０１１は原稿混載キーであり、原稿フィーダにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。１０１８、１０２０は濃度キーであり、キー１０１８を押すごとに濃く複写され、キー１０２０を押すごとに薄く複写される。１０１７は濃度表示であり、濃度キー１０１８、１０２０を押すと表示が左右へ変化する。１０１９はＡＥキーであり、新聞のように地肌の濃い原稿を自動濃度調整複写するときに押す。１０２１はＨｉＦｉキーであり、写真原稿のように中間調の濃度が多い原稿の複写の際に押す。１０２２は文字強調キーであり、文字原稿の複写で文字を際立たせたい場合に押下する。
【００２８】
図７は画像形成装置におけるスキャナ１０、プリンタ２０の構成を示すブロック図である。
【００２９】
７５１はスキャナ１０全体の制御を行うＣＰＵであり、制御プログラムを記憶した読み取り専用メモリ７５３（ＲＯＭ）からプログラムを順次読み取り、実行する。ＣＰＵのアドレスバス、データバスは、バスドライバ，アドレスデコーダ７５２からなる回路を介して各負荷に接続されている。また、コントローラユニット３０のＣＰＵと接続され、通信を行う。
【００３０】
７５４は、入力データの記憶や作業用記憶領域等として用いる主記憶装置としてのランダムアクセスメモリ（ＲＡＭ）である。７５５はＩ／Ｏインターフェースであり、給紙系、搬送系、光学系の駆動を行うモーター類７５６、ランプ類７５７、また、搬送される用紙を検知する紙検知センサ類７５８等の装置の各負荷に接続される。また、ＣＣＤユニット１０６により読み込まれた画像データは、コントローラ３０に転送される。
【００３１】
次に、７０１はプリンタ２０の制御を行うＣＰＵであり、制御手順（制御プログラム）を記憶した読み取り専用メモリ７０３（ＲＯＭ）からプログラムを順次読み取り、実行する。ＣＰＵ７０１のアドレスバスおよびデータバスは、７０２のバスドライバ回路，アドレスデコーダ回路をへて各負荷に接続されている。また、７０４は入力データの記憶や作業用記憶領域等として用いる主記憶装置であるところのランダムアクセスメモリ（ＲＡＭ）である。７０５はＩ／Ｏインターフェースであり、給紙系、搬送系、光学系の駆動を行うモーター類７０７、クラッチ類７０８、ソレノイド類７０９、また、搬送される用紙を検知するための紙検知センサ類７１０等の装置の各負荷に接続される。現像器１１８には現像器内のトナー量を検知する７１１のトナー残検センサが配置されており、その出力信号がＩ／Ｏポート７０５に入力される。７１５は高圧ユニットであり、ＣＰＵ７０１の指示に従って、前述の１次帯電器１１３、現像器１１８、転写前帯電器１１９、転写帯電器１２７、分離帯電器１２８へ高圧を出力する。
【００３２】
ＣＣＤユニット１０６から出力された画像信号はコントローラユニット３０により、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの７１３のビーム検知センサによって発光状態が検知され、その出力信号がＩ／Ｏポート７０５に入力される。
【００３３】
コントローラユニット３０の構成図を図８に示す。コントローラユニット３０は画像入力デバイスであるスキャナ１０や画像出力デバイスであるプリンタ２０と接続し、一方ではＬＡＮ２０１１や公衆回線（ＷＡＮ）２０５１接続することで、画像情報やデバイス情報の入出力を行う為のコントローラである。また、スリープ状態においてＬＡＮ２０１１から受信したマジックパケットによってスリープ復帰することができ、ＬＡＮ２０１１を介して電子メールを受信することもできる。ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データ、ソフトウェアカウンタ値などを格納している。操作部Ｉ／Ｆ２００６は操作部（ＵＩ）１４０とのインターフェース部で、操作部１４０に表示する画像データを操作部１４０に対して出力する。また、操作部１４０から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。スキャナ、プリンタ通信Ｉ／Ｆ２０６１はスキャナ１０、プリンタ２０のＣＰＵとそれぞれ通信を行うためのＩ／Ｆである。以上のデバイスがシステムバス２００７上に配置される。
【００３４】
ＩｍａｇｅＢｕｓＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ１０やプリンタ２０とコントローラ３０を接続し、画像データの同期系／非同期系の変換を行う。スキャナ画像処理部２０８０は、入力画像データに対し補正、加工、編集を行う。プリンタ画像処理部２０９０は、プリント出力画像データに対して、プリンタ２０の補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００３５】
以下、図８に示したコントローラユニット３０内の各ブロックの説明を行う。
【００３６】
図９はスキャナ画像処理部２０８０の構成を示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。
【００３７】
処理が終了した画像データは、再び画像バスコントローラ２０８１を介して、画像バス２００８上に転送される。
【００３８】
プリンタ画像処理部２０９０の構成を図１０に示す。画像バスＩ／Ｆコントローラ２０９１は、画像バス２００８と接続し、そのバスアクセスシーケンスを制御する働きと、プリンタ画像処理部２０９０内の各デバイスの制御及びタイミングを発生させる。解像度変換部２０９２は、ＬＡＮ２０１１あるいは公衆回線２０５１から来た画像データを、プリンタ２０の解像度に変換するための解像度変換を行う。スムージング処理部２０９３は、解像度変換後の画像データのジャギー（斜め線等の白黒境界部に現れる画像のがさつき）を滑らかにする処理を行う。
【００３９】
画像圧縮部２０４０の構成を図１１に示す。画像バスＩ／Ｆコントローラ２０４１は、画像バス２００８と接続し、そのバスアクセスシーケンスを制御する働き、入力バッファ２０４２・出力バッファ２０４５とのデータのやり取りを行うためのタイミング制御及び、画像圧縮部２０４３に対するモード設定などの制御を行う。以下に画像圧縮処理部２０４０の処理手順を示す。
【００４０】
画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（例えばＭＭＲ圧縮・ＪＢＩＧ伸長等の）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０４１はＲＡＭ２００２もしくは画像バス２００８上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス２００８からの画像データの読み込み及び、画像圧縮部２０４３への画像の書き込みが不可能である場合は、データの転送を行わないような制御を行う（以後このような制御をハンドシェークと呼称する）。画像圧縮部２０４３は受け取った画像データを、一旦ＲＡＭ２０４４に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ２００２もしくは画像バス２００８上の各デバイスにデータを転送する。こうした一連の処理は、ＣＰＵ２００１からの処理要求が無くなるまで（必要なページ数の処理が終わったとき）、もしくはこの画像圧縮部２０４３から停止要求が出るまで（圧縮及び伸長時のエラー発生時等）繰り返される。
【００４１】
画像回転部２０３０の構成を図１２に示す。画像バスＩ／Ｆコントローラ２０３１は、画像バス２００８と接続し、そのバスシーケンスを制御する働き、画像回転部２０３２にモード等を設定する制御及び、画像回転部２０３２に画像データを転送するためのタイミング制御を行う。以下に画像回転部２０３２の処理手順を示す。
【００４２】
画像バス２００８を介して、ＣＰＵ２００１から画像バスＩ／Ｆコントローラ２０３１に画像回転制御のための設定を行う。この設定により画像バスＩ／Ｆコントローラ２０３１は画像回転部２０３２に対して画像回転に必要な設定（例えば画像サイズや回転方向・角度等）を行う。必要な設定を行った後に、再度ＣＰＵ２００１から画像バスＩ／Ｆコントローラ２０３１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００４３】
上述のように、３２×３２（ｂｉｔ）の画像を得るためには、上述の単位データ転送を３２回行う必要があり、且つ不連続なアドレスから画像データを転送する必要がある（図１３参照）。
【００４４】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１４のようにＹ方向に書き込んでいく。読み出し時にＸ方向に読み出すことで、画像が回転される。
【００４５】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
【００４６】
回転処理された画像データを受け取った画像バスＩ／Ｆコントローラ２０３１は、連続アドレッシングを以て、ＲＡＭ２００２もしくは画像バス２００８上の各デバイスにデータを転送する。
【００４７】
こうした一連の処理は、ＣＰＵ２００１からの処理要求が無くなるまで（必要なページ数の処理が終わったとき）繰り返される。
【００４８】
デバイスＩ／Ｆ部２０２０の構成を図１５に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、スキャナ１０及びプリンタ２０への制御信号を発生させる。スキャンバッファ２０２２は、スキャナ１０から送られてくる画像データを一時保存し、画像バス２００８に同期させて画像データを出力する。シリアルパラレル・パラレルシリアル変換２０２３は、スキャンバッファ２０２２に保存された画像データを順番に並べて、あるいは分解して、画像バス２００８に転送できる画像データのデータ幅に変換する。パラレルシリアル・シリアルパラレル変換２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０に同期させて画像データを出力する。
【００４９】
画像スキャン時の処理手順を以下に示す。スキャナ１０から送られてくる画像データをスキャナ１０から送られてくるタイミング信号に同期させて、スキャンバッファ２０２２に保存する。そして、画像バス２００８がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス２００８上に転送する。また、画像バス２００８がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス２００８上に転送する。
【００５０】
画像プリント時の処理手順を以下に示す。画像バス２００８がＰＣＩバスの場合には、画像バス２００８から送られてくる３２ビットの画像データを画像バスＩ／Ｆコントローラ２０２１で受け取り、パラレルシリアル・シリアルパラレル変換２０２４に送り、プリンタ２０の入力データビット数の画像データに分解し、プリントバッファ２０２５に保存する。また、画像バス２００８がＩＥＥＥ１３９４の場合には、画像バスから送られてくるシリアル画像データを画像バスＩ／Ｆコントローラ２０２１で受け取り、パラレルシリアル・シリアルパラレル変換２０２４に送り、プリンタ２０の入力データビット数の画像データに変換し、プリントバッファ２０２５に保存する。そして、プリンタ２０から送られてくるタイミング信号に同期させて、バッファ内の画像データを先入れ先出しで、プリンタ２０に送る。
【００５１】
以上説明してきたネットワークシステムおよびＦＡＸ送信装置を含む画像形成装置が請求項３の構成を示しているので、ここから本発明を代表して請求項３の構成における制御方法を説明していく。
【００５２】
では、前述の説明と、図１，１６，１７を用いて説明記載する。図１は請求項３の構成における制御フロー例、図１６は電子メールの具体例、図１７はメールアドレスとＩＰアドレスの関連付けを、それぞれ示す図である。
【００５３】
まず、請求項３記載のクライアントの処理手順から説明記載する。最初に、クライアント（前記パソコン２１６が相当）はＦＡＸ送信データを作成する（ステップＳ１０１）。
【００５４】
次にクライアント２１６はＳＭＴＰサーバ２１４に対してステップＳ１０１で作成したＦＡＸ送信データを電子メールの本文として送る（ステップＳ１０２）。ここで、ＦＡＸ送信先の電話番号は図１６に示すようにＳｕｂｊｅｃｔに記載してもよい。
【００５５】
次に、メールサーバの処理手順を説明記載する。最初に、ステップＳ１０２でＳＭＴＰサーバ２１４に送られた電子メールはＰＯＰサーバ２１３で受信される（ステップＳ２０１）。
【００５６】
次にＰＯＰサーバ２１３は受信した電子メールのメールアドレスに対応したＩＰアドレスを図１７に示すメールアドレス−ＩＰアドレス管理テーブルから求め、求められたＩＰアドレスに対してマジックパケットを送信する（ステップＳ２０２）。
【００５７】
最後に、スリープ中のＦＡＸ送信装置の処理手順を説明記載する。最初に、ステップＳ２０２で送信されたマジックパケットを受信する（ステップＳ３０１）。
【００５８】
次に、そのマジックパケットの受信によってスリープ復帰する（ステップＳ３０２）。
【００５９】
その後、マジックパケットの受信した受信しないに関わらず、スリープ復帰後にＰＯＰのプロトコルに従ってメール受信をする（ステップＳ３０３）。
【００６０】
その後、受信したメールの本文を画像データに変換し、ビットマップ展開後ＦＡＸ送信する（ステップＳ３０４）。
【００６１】
最後に、ＦＡＸ送信後はスリープに遷移する（ステップＳ３０５）。
【００６２】
以上のように請求項３の構成におけるクライアント・メールサーバ・ＦＡＸ送信装置が制御されることによって、従来からのプロトコルであるＰＯＰを保ちつつ、メール受信端末がスリープ中でもメール受信できるシステムを構築することができる。
【図面の簡単な説明】
【００６３】
【図１】請求項３の構成における制御フロー例を示す図である。
【図２】本発明の本実施例の形態によって構成したネットワークシステムを示す図である。
【図３】本発明に含まれる画像処理装置の外観を示す図である。
【図４】画像処理装置の全体構成を示す断面図である。
【図５】操作部を示す図である。
【図６】ＬＣＤ表示を示す図である。
【図７】画像形成装置におけるスキャナ１０、プリンタ２０の構成を示すブロック図である。
【図８】コントローラユニットの構成を示す図である。
【図９】スキャナ画像処理部のブロック図である。
【図１０】プリンタ画像処理部のブロック図である。
【図１１】画像圧縮処理部のブロック図である。
【図１２】画像回転部のブロック図である。
【図１３】画像回転処理の説明図である。
【図１４】画像回転処理の説明図である。
【図１５】デバイスＩ／Ｆ部のブロック図である。
【図１６】電子メールの具体例を示す図である。
【図１７】メールアドレスとＩＰアドレスの関連付けを示す図である。
【符号の説明】
【００６４】
１０  イメージスキャナ
２０  プリンタ
３０  コントローラユニット
１４０  操作部、操作パネル
２００  インターネット
２０１  ウェブサーバ
２０２  電子マネーサーバ
２０３  ファイアーウォール
２０４  サービスプロバイダ
２１１  ファイルサーバ
２１２  パソコン
２１３  ＰＯＰサーバ
２１４  ＳＭＴＰサーバ
２１５  ＰＯＰサーバ
２１６  パソコン（クライアントに相当）
２２０  画像形成装置
２０１１  ＬＡＮ
２０５０  モデム
２０５１  公衆回線
【図１】
2007087293.tif 000003
【図２】
2007087293.tif 000004
【図３】
2007087293.tif 000005
【図４】
2007087293.tif 000006
【図６】
2007087293.tif 000007
【図７】
2007087293.tif 000008
【図８】
2007087293.tif 000009
【図９】
2007087293.tif 000010
【図１０】
2007087293.tif 000011
【図１１】
2007087293.tif 000012
【図１２】
2007087293.tif 000013
【図１３】
2007087293.tif 000014
【図１５】
2007087293.tif 000015
【図１６】
2007087293.tif 000016
【図１７】
2007087293.tif 000017
【図５】
2007087293.tif 000018
【図１４】
2007087293.tif 000019